(57)【要約】【課題】  複数の植栽ユニットを簡易に組み合わせて使用することができる緑化ユニット装置および植栽ユニットを提供する。【解決手段】  この緑化ユニット装置１は、植物２を設置する基本ユニット４Ａ〜４Ｄを上下左右に複数組み合わせた緑化ユニット装置である。この緑化ユニット装置１は、組替え可能な複数の基本ユニット４４Ａ〜４Ｄと、これら基本ユニット４Ａ〜４Ｄを組み合わせて互いに固定可能なユニット固定手段と、このユニット固定手段で固定された各基本ユニット４Ａ〜４Ｄにそれぞれ灌水を行う灌水手段６とを備える。各基本ユニット４Ａ〜４Ｄは、それぞれ正面が窓とされた箱状とされ底部に植物２が設置される。【選択図】      図１
2017012025.tif 000002
【特許請求の範囲】
【請求項１】
植物を設置する植栽ユニットを上下左右に複数組み合わせた緑化ユニット装置であって、
組替え可能な前記複数の植栽ユニットと、
これら植栽ユニットを組み合わせて互いに固定可能なユニット固定手段と、
このユニット固定手段で固定された各植栽ユニットにそれぞれ灌水を行う灌水手段と、
を備え、
前記各植栽ユニットは、それぞれ正面が窓とされた箱状とされ底部に植物が設置されることを特徴とする緑化ユニット装置。
【請求項２】
請求項１に記載の緑化ユニット装置において、前記灌水手段は、水を貯留するタンクおよびこのタンクに貯留された水を各植栽ユニットに供給するポンプを有する灌水ユニットと、前記ポンプで吸い上げた水を複数の植栽ユニットにそれぞれ導く流路とを備える緑化ユニット装置。
【請求項３】
請求項２に記載の緑化ユニット装置において、前記各植栽ユニットに前記流路が設けられ、この流路は、前記各植栽ユニットに水を導く流路部分と、前記各植栽ユニットに隣接する次段の植栽ユニットに水を導く流路部分とを有する緑化ユニット装置。
【請求項４】
請求項２または請求項３に記載の緑化ユニット装置において、前記灌水手段は、各植栽ユニットへの給水量を調整する給水量調整手段を有する緑化ユニット装置。
【請求項５】
請求項２ないし請求項４のいずれか１項に記載の緑化ユニット装置において、前記各植栽ユニットは、上下方向に延びる複数の柱部を有し、いずれかの柱部における内側面部に沿って前記流路を設けた緑化ユニット装置。
【請求項６】
請求項５に記載の緑化ユニット装置において、前記灌水手段は、上または下に隣接する植栽ユニットに設けた流路同士を繋ぐ継手を有する緑化ユニット装置。
【請求項７】
請求項５または請求項６に記載の緑化ユニット装置において、前記柱部における内側面部には、前記流路を覆うカバー部材を設けた緑化ユニット装置。
【請求項８】
請求項１ないし請求項７のいずれか１項に記載の緑化ユニット装置において、前記ユニット固定手段は、上下に隣接する植栽ユニットを互いに位置決めして組み合わせる位置決め手段を含む緑化ユニット装置。
【請求項９】
複数組替え可能に組み合わせる植栽ユニットであって、
有底の箱状に形成され植物が設置されるプランタ設置部と、
このプランタ設置部における上縁部から上下方向に延びる複数の柱部と、
これら柱部の上端部を繋ぐ水平方向に延びる複数の連結部とで正面が窓とされた箱状とされ且つ流路を有し、
この流路は、前記プランタ設置部に設置された植物に水を導く流路部分と、この植栽ユニットに隣接して組み合わせられる植栽ユニットに水を導く流路部分とを有する植栽ユニット。
【発明の詳細な説明】
【技術分野】
【０００１】
この発明は、緑化ユニット装置および植栽ユニットに関し、例えば、オフィス等の室内の一部を簡易に緑化し得る技術に関する。
【背景技術】
【０００２】
オフィス等の室内に設置する室内緑化装置が提案されている（特許文献１）。この室内緑化装置は緑化園を収納する収納ケースを備え、この収納ケースに水を供給する水供給パイプが連結されている。この水供給パイプに、前記緑化園に水を散布する水散布装置を備えている。
【先行技術文献】
【特許文献】
【０００３】
【特許文献１】特開２０１１−２４４７８８号公報
【発明の概要】
【発明が解決しようとする課題】
【０００４】
従来の室内緑化装置では、例えば、複数の収納ケースを上下左右に複数組み合わせて互いに固定した緑化ユニット装置は開示されていない。仮に、複数の収納ケースを上下左右に複数組み合わせて固定しようとすると、次のような問題がある。複数の水供給パイプを準備しておき、使用者の好みに合わせて収納ケースの組み合わせパターンが変わる都度、水供給パイプを敷設し直す等の手間がかかりコスト高となる。
【０００５】
この発明の目的は、複数の植栽ユニットを簡易に組み合わせて使用することができる緑化ユニット装置および植栽ユニットを提供することである。
【課題を解決するための手段】
【０００６】
この発明の緑化ユニット装置は、植物を設置する植栽ユニットを上下左右に複数組み合わせた緑化ユニット装置であって、
組替え可能な前記複数の植栽ユニットと、
これら植栽ユニットを組み合わせて互いに固定可能なユニット固定手段と、
このユニット固定手段で固定された各植栽ユニットにそれぞれ灌水を行う灌水手段と、
を備え、
前記各植栽ユニットは、それぞれ正面が窓とされた箱状とされ底部に植物が設置されることを特徴とする。
【０００７】
この構成によると、複数の植栽ユニットを使用者等の好みに合わせて自由に組替え、ユニット固定手段は、これら植栽ユニットを組み合わせて固定し得る。灌水手段は、各植栽ユニットにそれぞれ灌水を行う。このように植栽ユニットを自由に組替えてユニット固定手段で固定できるため、複数の植栽ユニットを簡易に組み合わせて使用することができる。各植栽ユニットは、正面が窓とされた箱状とされ底部に植物が設置される。前記窓は開放されていても良いし、前記窓に透明な光透過性部材（ガラス等）や開閉扉等を備えていても良い。窓が開放されている場合や開閉扉等を備えている場合、使用者等は、植物を直接鑑賞することができるうえ、各植栽ユニットに対して植物を設置または交換することが容易に行える。
このような緑化ユニット装置をオフィス等の室内に設けることで、室内空間の価値の向上を図ることができる。
【０００８】
前記灌水手段は、水を貯留するタンクおよびこのタンクに貯留された水を各植栽ユニットに供給するポンプを有する灌水ユニットと、前記ポンプで吸い上げた水を複数の植栽ユニットにそれぞれ導く流路とを備えたものとしても良い。このようにタンクに貯留した水をポンプで吸い上げて流路を介して複数の植栽ユニットにそれぞれ導くことで、植物を管理、世話する管理者の作業負担の低減を図ることができる。
【０００９】
前記前記各植栽ユニットに前記流路が設けられ、この流路は、前記各植栽ユニットに水を導く流路部分と、前記各植栽ユニットに隣接する次段の植栽ユニットに水を導く流路部分とを有するものとしても良い。このように各植栽ユニットの流路が、各植栽ユニットに水を導く流路部分と、次段の植栽ユニットに水を導く流路部分とを有するため、複数の植栽ユニットを自由に組替えることができる。したがって、複数の植栽ユニットの組み合わせのバリエーションを多くして、使用者等の要求に沿う形状の緑化ユニット装置を容易に実現できる。
【００１０】
前記灌水手段は、各植栽ユニットへの給水量を調整する給水量調整手段を有するものとしても良い。ポンプから各植栽ユニットへの流路の長さが異なることに起因する管路抵抗の変化等により、各植栽ユニットへの給水量が不所望に異なる場合がある。また設置した植物の種類によっては給水量を個別に調整したい場合がある。このような場合に給水量調整手段により各植栽ユニットへの給水量を適量に調整し得る。
【００１１】
前記各植栽ユニットは、上下方向に延びる複数の柱部を有し、いずれかの柱部における内側面部に沿って前記流路を設けても良い。この場合、緑化ユニット装置の外観上、流路を目立たないように処理して植物を鑑賞し得る。
前記灌水手段は、上または下に隣接する植栽ユニットに設けた流路同士を繋ぐ継手を有するものとしても良い。この場合、様々な植栽ユニットの上下の組み合わせに対応することが可能となる。したがって、複数の植栽ユニットの組み合わせのバリエーションを多くして、使用者等の要求に沿う形状の緑化ユニット装置を容易に実現できる。
【００１２】
前記柱部における内側面部には、前記流路を覆うカバー部材を設けても良い。流路が露出すると美観を損ねることが懸念される。この構成によると、柱部に沿って設けた流路をカバー部材で覆うことで、流路が露出することを防止することができる。
前記ユニット固定手段は、上下に隣接する植栽ユニットを互いに位置決めして組み合わせる位置決め手段を含むものとしても良い。この場合、植栽ユニットを上下に組み合わせるとき、位置決め手段で互いに位置決めして組み合わせることができ、組立てを簡単化することができる。
【００１３】
この発明の植栽ユニットは、複数組替え可能に組み合わせる植栽ユニットであって、
有底の箱状に形成され植物が設置されるプランタ設置部と、
このプランタ設置部における上縁部から上下方向に延びる複数の柱部と、
これら柱部の上端部を繋ぐ水平方向に延びる複数の連結部とで正面が窓とされた箱状とされ且つ流路を有し、
この流路は、前記プランタ設置部に設置された植物に水を導く流路部分と、この植栽ユニットに隣接して組み合わせられる植栽ユニットに水を導く流路部分とを有する。
【００１４】
この構成によると、複数の植栽ユニットを使用者等の好みに合わせて自由に組替えて組み合わせて使用することができる。前記窓は開放されていても良いし、前記窓に透明な光透過性部材（ガラス等）や開閉扉等を備えていても良い。窓が開放されている場合や開閉扉等を備えている場合、使用者等は、植物を直接鑑賞することができるうえ、各植栽ユニットに対して植物を設置または交換することが容易に行える。
流路は、プランタ設置部に設置された植物に水を導く流路部分と、この植栽ユニットに隣接して組み合わせられる植栽ユニットに水を導く流路部分とを有するため、複数の植栽ユニットを自由に且つ簡易に組替えることができる。したがって、複数の植栽ユニットの組み合わせのバリエーションを多くして、使用者等の要求に沿う形状を容易に実現できる。
【発明の効果】
【００１５】
この発明の緑化ユニット装置は、植物を設置する植栽ユニットを上下左右に複数組み合わせた緑化ユニット装置であって、組替え可能な前記複数の植栽ユニットと、これら植栽ユニットを組み合わせて互いに固定可能なユニット固定手段と、このユニット固定手段で固定された各植栽ユニットにそれぞれ灌水を行う灌水手段とを備える。前記各植栽ユニットは、それぞれ正面が窓とされた箱状とされ底部に植物が設置される。このため、複数の植栽ユニットを簡易に組み合わせて使用することができる。
この発明の緑化ユニット装置は、複数組替え可能に組み合わせる植栽ユニットであって、有底の箱状に形成され植物が設置されるプランタ設置部と、このプランタ設置部における上縁部から上下方向に延びる複数の柱部と、これら柱部の上端部を繋ぐ水平方向に延びる複数の連結部とで正面が窓とされた箱状とされ且つ流路を有し、この流路は、前記プランタ設置部に設置された植物に水を導く流路部分と、この植栽ユニットに隣接して組み合わせられる植栽ユニットに水を導く流路部分とを有する。このため、複数の植栽ユニットを簡易に組み合わせて使用することができる。
【図面の簡単な説明】
【００１６】
【図１】この発明の実施形態に係る緑化ユニット装置の正面図である。
【図２】同緑化ユニット装置の斜視図である。
【図３】同緑化ユニット装置における複数の植栽ユニットを設置する態様を概略示す図である。
【図４】（Ａ）同植栽ユニットの平面図、（Ｂ）同植栽ユニットの正面図、（Ｃ）同植栽ユニットの右側面図、（Ｄ）同植栽ユニットの底面図である。
【図５】（Ａ）同緑化ユニット装置におけるユニット固定手段の断面図、（Ｂ）同ユニット固定手段の要部の正面図である。
【図６】同ユニット固定手段等の一部を示す斜視図である。
【図７】（Ａ）同緑化ユニット装置におけるカバー部材の正面図、（Ｂ）同カバー部材の断面図である。
【図８】同緑化ユニット装置における灌水手段の構成を示すブロック図である。
【図９】同灌水手段の配管イメージを示す概略図である。
【図１０】同灌水手段の流路の結合部等を示す図である。
【図１１】同灌水手段の給水部の接続状態を示す図である。
【図１２】同植栽ユニットの最上段の給水部の接続状態を示す図である。
【図１３】この発明の他の実施形態に係る緑化ユニット装置の灌水手段の要部を示す図である。
【図１４】この発明の他の実施形態に係る緑化ユニット装置の植栽ユニットの組み合わせ例を示す正面図である。
【図１５】この発明のさらに他の実施形態に係る緑化ユニット装置の植栽ユニットの組み合わせ例を示す正面図である。
【発明を実施するための形態】
【００１７】
この発明の実施形態に係る緑化ユニット装置を図１ないし図１２と共に説明する。この緑化ユニット装置は、例えば、オフィス等の室内の一部に設置される。但し、この緑化ユニット装置は、室内のみに限定して設置されるものではなく、例えば、駅や空港等のコンコース等に設置しても良い。
【００１８】
図１はこの緑化ユニット装置１の正面図であり、図２はこの緑化ユニット装置１の斜視図である。図１および図２に示すように、緑化ユニット装置１は、植物２を設置する植栽ユニット等を上下左右に複数組み合わせた装置である。この緑化ユニット装置１は、ベースユニット３と、複数の植栽ユニット４と、ユニット固定手段５（図４，図５）と、灌水手段６とを備える。
【００１９】
ベースユニット３、植栽ユニット４について説明する。
ベースユニット３は、その外形が平面視略矩形状で床面に設置される。このベースユニット３は、構成する植栽ユニット４の左右方向Ａ１の列数に合わせて、左右方向Ａ１に複数（この例は４つ）隣接して設けられる。なおベースユニット３は一つであっても良い。この場合、ベースユニット３は、構成する植栽ユニット４の全長に応じた長さに規定される。図１および図３に示すように、各ベースユニット３の上面に、植栽ユニット４または灌水手段６のタンクケース７を重ねるように設置しボルト等により固定するようになっている。隣接するベースユニット３，３間に図示外のスペーサを挟み、これら隣接するベースユニット３，３は複数のボルト等を介して互いに固定される。なお各ベースユニット３をボルト等により床面ＦＬに固定しても良い。
【００２０】
図１，図２に示すように、緑化ユニット装置１を構成する複数の植栽ユニット４は、外形寸法が異なる複数種類（この例では４種類）の基本ユニット４Ａ，４Ｂ，４Ｃ，４Ｄを上下左右に自由に組み合わせて構成される。前記外形寸法は、左右方向の幅寸法Ｗ、前後方向の奥行き寸法Ｂ、および上下方向の高さ寸法Ｈからなる。この例では、例えば、基本ユニット４Ａの外形寸法の幅寸法Ｗ、高さ寸法Ｈに対し、規定の整数を整数倍して他の基本ユニット４Ｂ，４Ｃ，４Ｄの外形寸法が定められる。奥行き寸法Ｂについてはいずれの基本ユニット４Ａ，４Ｂ，４Ｃ，４Ｄについても同一に定められる。
【００２１】
図４（Ａ）は植栽ユニットの平面図であり、図４（Ｂ）はこの植栽ユニットの正面図である。図４（Ｃ）はこの植栽ユニットの右側面図であり、図４（Ｄ）はこの植栽ユニットの底面図である。なお図４において、１種類の基本ユニット４Ａについてのみ表す。その他の基本ユニット４Ｂ，４Ｃ，４Ｄについては、外形寸法を除き図４の基本ユニット４Ａと同一構造であるから詳細図を省略するものとする。なお以下の図において、基本ユニット４Ａ〜４Ｄを総称して基本ユニット４Ａと言う場合がある。
【００２２】
各基本ユニット４Ａは、正面、側面、および上面がそれぞれ矩形孔状に開放された箱状とされる。各基本ユニット４Ａは、下部から上部に向かって順次、プランタ設置部８と、複数の柱部９と、水平方向に延びる複数の連結部１０とを有する。プランタ設置部８は、各基本ユニット４Ａの下部に位置し、有底の矩形箱状に形成される。このプランタ設置部８に、植物２（図１）が植えられた鉢（図示せず）が設置される。具体的には、プランタ設置部８の底部８ａにプランタ１１が設置され、このプランタ１１の上部には矩形板状のトレー１２が取り付けられる。このトレー１２に、定められた外形および高さ寸法の前記鉢が複数（例えば、４個）着脱自在に設置される。
【００２３】
複数（この例では４本）の柱部９は、矩形箱状のプランタ設置部８における四隅の上縁部から上下方向にそれぞれ延びる。これら柱部９の上下方向の長さは、基本ユニット４Ａの高さ寸法Ｈ（図１）に応じて定められる。各柱部９は、隣接する面に所定小距離延びる断面略Ｌ字形状に形成される。複数の柱部９のうち定められた柱部９におけるコーナー部９ａに沿って、後述する流路である給水チューブ１３（図１０）が設けられている。前記コーナー部９ａとは、いずれかの柱部９における断面略Ｌ字形状の内側面部を成す部分である。複数の連結部１０は、これら複数の柱部９の上端部をそれぞれ矩形枠状に繋ぐ。
【００２４】
ユニット固定手段５について説明する。
図５（Ａ）は、この緑化ユニット装置におけるユニット固定手段５の要部の断面図（図５（Ｂ）のVA-VA線断面図）である。図５（Ｂ）はこのユニット固定手段５の要部の正面図である。図４および図５に示すように、ユニット固定手段５は、位置決め手段である位置決めプレート１４、上部リブ１５、ボルト（図示せず）およびナット１６を有する。
【００２５】
図４に示すように、プランタ設置部８の底面８ｂには、上下に隣接する基本ユニット４Ａを互いに位置決めして組み合わせる位置決めプレート１４が溶接等により複数箇所（この例では４箇所）設けられる。
図４（Ｄ）および図６に示すように、各位置決めプレート１４は、矩形板状にそれぞれ形成され、プランタ設置部８の底面８ｂにおける四隅付近部に固定される。各位置決めプレート１４は、上部リブ１５の連結部１０への取付位置に応じて、プランタ設置部８の底面８ｂに固定される。換言すれば、位置決めプレート１４のプランタ設置部８の底面８ｂへの固定位置に対応して、上部リブ１５が連結部１０の内側面に取り付けられている。
【００２６】
図４（Ａ）、図５および図６に示すように、各連結部１０の内側面には、長手方向両端部を除き上部リブ１５が溶接等によりそれぞれ固定される。これら上部リブ１５は、この基本ユニット４Ａを補強しつつ後述する水平板部１５ａの上面に、別の基本ユニット４Ａを重ねて支持する機能を有する。各上部リブ１５は、立板部１５ｂと水平板部１５ａとで断面Ｌ字形状に形成される。立板部１５ｂは、各連結部１０の内側面に沿って溶接等により固定される。水平板部１５ａは、立板部１５ｂの上端縁部から基本ユニット内に水平方向に定められた距離延びる。
【００２７】
隣り合う水平板部１５ａ，１５ａにおける先端縁部１５ａａ，１５ａａに、各位置決めプレート１４における外側面部１４ａ，１４ａがそれぞれ係合するように、上下の基本ユニット４Ａ，４Ａが組み合わされて互いに位置決めされる。各位置決めプレート１４が水平板部１５ａの先端縁部１５ａａにそれぞれ係合された状態で、これら水平板部１５ａの上面に、上側の基本ユニット４Ａにおけるプランタ設置部８の底面８ｂが支持されるようになっている。
【００２８】
水平板部１５ａにおける例えば長手方向中間付近には、前記ボルトを貫通する貫通孔（図示せず）が形成されている。但し、この貫通孔は、水平板部１５ａの長手方向中間付近に限定して設けられるものではない。前記貫通孔が形成されている位置に対応して、基本ユニット４Ａにおけるプランタ設置部８の底面８ｂに貫通孔８ｂａが形成される。水平板部１５ａのうち貫通孔がある下面には、前記ナット１６が溶接により接合されている。
【００２９】
よって、下側の基本ユニット４Ａにおける上部リブ１５に対し上側の基本ユニット４Ａの各位置決めプレート１４が位置決めされ、さらに前記上部リブ１５に上側の基本ユニット４Ａが支持される。この状態で、上側の基本ユニット４Ａのプランタ設置部８から下側の基本ユニット４Ａの各ナット１６にボルトがそれぞれ螺合されることで、上下の基本ユニット４Ａ，４Ａが互いに固定される。なお前記と同様のユニット固定手段５により、下側のタンクケース７（図１）と上側の基本ユニット４Ａとが互いに組み合わされて固定される。
【００３０】
図７（Ａ）は、この緑化ユニット装置におけるカバー部材１７の正面図であり、図７（Ｂ）は同カバー部材１７の断面図である。これら図７および図４（Ａ）に示すように、定められた柱部９におけるコーナー部９ａには、敷設した給水チューブ１３および電源ケーブル（図示せず）を覆うカバー部材１７が設けられている。このカバー部材１７は、断面円弧状の円弧部１７ａと、この円弧部１７ａの周方向一端から同円弧部１７ａが湾曲する方向に平坦に延びる平坦部１７ｂとを有する。この平坦部１７ｂにおける外側面１７ｂａにマグネットテープ（図示せず）が固着される。柱部９のコーナー部９ａのうちいずれか一方の内側面部に、平坦部１７ｂの前記マグネットテープを吸着させ、円弧部１７ａが基本ユニット内に向けて凸となるように設けられる。柱部９のコーナー部９ａとカバー部材１７の円弧部１７ａとで囲まれる空間に、前記給水チューブ１３および前記電源ケーブルが設けられる。
【００３１】
灌水手段６等について説明する。
図８は、この緑化ユニット装置における灌水手段６の構成を示すブロック図である。この灌水手段６は、前述のユニット固定手段５（図４（Ａ））で固定された各基本ユニット４Ａ〜４Ｄ（図１）にそれぞれ灌水を行うものである。灌水手段６は、タンクケース７、タンク１８、ポンプ１９、電磁弁２１、および制御手段２２を有する灌水ユニットＫｕと、給水チューブ１３と、継手２０（図１０）とを有する。タンクケース７には、水を貯留するタンク１８が収納されている。またタンクケース７内には、ポンプ１９、複数の電磁弁２１、および制御手段２２が搭載されている。タンク１８とポンプ１９との間およびポンプ１９と定められた電磁弁２１との間に、給水チューブ１３がそれぞれ配管接続されている。各電磁弁２１には、複数系列（図８の例では４系列）の給水チューブ１３がそれぞれ配管接続されている。
【００３２】
ポンプ１９は、タンク１８に貯留された水を各基本ユニット４Ａ〜４Ｄ（図１）に供給する。複数の電磁弁２１は、給水チューブ１３の系列毎に給水を行うように流路を切替えるものである。複数の電磁弁２１として例えば電磁弁マニホールドが適用されている。制御手段２２は、これら電磁弁２１を制御する手段であって、例えば、プログラマブルコントローラ（略称ＰＬＣ）により構成される。制御手段２２には、複数の電磁弁２１の設定および動作を行うための押しボタンスイッチ２３が電気的に接続されている。この押しボタンスイッチ２３を操作することで、制御手段２２は、各基本ユニット４Ａ〜４Ｄ（図１）に設置された植物２（図１）に対し、定められた周期で定められた量の灌水を行うことが可能である。
【００３３】
図９は、この灌水手段６の配管イメージを示す概略図である。図８および図９に示すように、この灌水手段６は、構成するシステムの縦系列を１系統とし、例えば、最大で６系統まで構成可能である。灌水ユニットＫｕから遠い（１）系統、（２）系統、（３）系統、（４）系統の順に、縦系列の順序配列で配管が行われる。この場合において、給水チューブ１３は、基本ユニット４Ａ〜４Ｄのいずれかの柱部９（図７（Ｂ））におけるコーナー部９ａ（図７（Ｂ））に沿って敷設される。
【００３４】
図１０に示すように、継手２０は、縦系列において上または下に隣接する基本ユニット４Ａ，４Ａに敷設される給水チューブ１３同士を繋ぐ。給水チューブ１３を継手２０に挿し込むことで、基本ユニット４Ａ，４Ａ間の配管を結合させ得る。また図１１に示すように、植物への給水用の流路部分１３ＡをＴ字継手２０Ａに挿し込むことで、給水部の配管を接続し得る。各基本ユニット４Ａに給水チューブ１３が設けられ、この給水チューブ１３は、前記各基本ユニット４Ａに水を導く流路部分１３Ａと、各基本ユニット４Ａに隣接する次段の基本ユニット４Ａに水を導く流路部分１３Ｂとを有する。なお図１２に示すように、植物が入る基本ユニット４Ａのうち、最上段の基本ユニット４Ａについては、Ｔ字継手２０Ａの上部にプラグ２４を挿入することで、水漏れを防止し得る。
【００３５】
作用効果について説明する。
以上説明した緑化ユニット装置１によれば、複数の基本ユニット４Ａ〜４Ｄを使用者等の好みに合わせて自由に組替え、ユニット固定手段５は、これら基本ユニット４Ａ〜４Ｄを組み合わせて固定し得る。灌水手段６は、固定された各基本ユニット４Ａ〜４Ｄにそれぞれ灌水を行う。このように基本ユニット４Ａ〜４Ｄを自由に組替えてユニット固定手段５で固定できるため、複数の基本ユニット４Ａ〜４Ｄを簡易に組み合わせて使用することができる。各基本ユニット４Ａ〜４Ｄは、それぞれ正面が開放された箱状とされ底部８ａに植物２が設置されるため、使用者等は、植物２を直接鑑賞することができるうえ、各基本ユニット４Ａ〜４Ｄに対して植物２を設置または交換することが容易に行える。このような緑化ユニット装置１をオフィス等の室内に設けることで、室内空間の価値の向上を図ることができる。
【００３６】
灌水手段６は、タンク１８に貯留した水をポンプ１９で吸い上げて給水チューブ１３を介して複数の基本ユニット４Ａ〜４Ｄにそれぞれ導く。緑化ユニット装置１はこのような灌水手段６を有するため、植物２を管理、世話する管理者の作業負担の低減を図ることができる。
【００３７】
各基本ユニット４Ａ〜４Ｄのいずれかの柱部９におけるコーナー部９ａに沿って給水チューブ１３を設けたため、緑化ユニット装置１の外観上、給水チューブ１３を目立たないように処理して植物２を鑑賞し得る。
灌水手段６は、上または下に隣接する基本ユニット４Ａ，４Ａに設けられる給水チューブ１３，１３同士を繋ぐ継手２０，（２０Ａ）を有する。このため、様々な基本ユニット４Ａの上下の組み合わせに対応することが可能となる。したがって、複数の基本ユニット４Ａ〜４Ｄの組み合わせのバリエーションを多くして、使用者等の要求に沿う形状の緑化ユニット装置１を容易に実現できる。
【００３８】
柱部９のコーナー部９ａにそって敷設した給水チューブ１３をカバー部材１７で覆うことで、敷設した給水チューブ１３が露出して美観を損ねることを未然に防止することができる。
ユニット固定手段５は、上下に隣接する基本ユニット４Ａ，４Ａを互いに位置決めして組み合わせる位置決めプレート１４を含む。このため、基本ユニット４Ａ，４Ａを上下に組み合わせるとき、位置決めプレート１４で互いに位置決めして組み合わせることができ、組立てを簡単化することができる。
【００３９】
他の実施形態について説明する。
以下の説明においては、各形態で先行する形態で説明している事項に対応している部分には同一の参照符号を付し、重複する説明を略する。構成の一部のみを説明している場合、構成の他の部分は、特に記載のない限り先行して説明している形態と同様とする。同一の構成から同一の作用効果を奏する。実施の各形態で具体的に説明している部分の組合せばかりではなく、特に組合せに支障が生じなければ、実施の形態同士を部分的に組合せることも可能である。
【００４０】
図１３に示すように、灌水手段は、各基本ユニット４Ａへの給水量を調整する給水量調整手段２５を有するものとしても良い。
各基本ユニット４Ａへの給水量が不所望に異なる場合がある。また設置した植物の種類によっては給水量を個別に調整したい場合がある。このような場合に給水量調整手段２５により各基本ユニット４Ａへの給水量を適宜調整し得る。
【００４１】
この例では、植物への給水を行う流路部分１３ＡとＴ字継手２０Ａとの間の管路途中に給水量調整手段２５を介在させている。この給水量調整手段２５として、例えば、スロットルバルブが適用される。このスロットルバルブの調整つまみ２５ａを緩めることで給水量が増加し、調整つまみ２５ａを締めることで給水量は減少する。給水量の微調整については、上段の基本ユニット４Ａから順に調整を行うことで、全ての基本ユニット４Ａ〜４Ｄの給水量を適量に調整し得る。
【００４２】
図１４または図１５に示すように、複数の基本ユニット４Ａ〜４Ｄの上下左右の組み合わせ例を変更して使用しても良い。このように複数の基本ユニット４Ａ〜４Ｄの組み合わせのバリエーションを多くして、使用者等の要求に沿う形状の緑化ユニット装置１を容易に実現できる。なお複数の基本ユニット４Ａ〜４Ｄの組み合わせ例はこれらの例に限定されるものではない。
【００４３】
以上、実施形態に基づいてこの発明を実施するための形態を説明したが、今回開示された実施の形態はすべての点で例示であって制限的なものではない。この発明の範囲は上記した説明ではなくて特許請求の範囲によって示され、特許請求の範囲と均等の意味および範囲内でのすべての変更が含まれることが意図される。
【符号の説明】
【００４４】
１…緑化ユニット装置
２…植物
４…植栽ユニット
５…ユニット固定手段
６…灌水手段
８…プランタ設置部
９…柱部
１３…給水チューブ（流路）
１３Ａ，１３Ｂ…流路部分
１４…位置決めプレート（位置決め手段）
１７…カバー部材
１８…タンク
１９…ポンプ
２０，２０Ａ…継手，Ｔ字継手
２５…給水量調整手段
Ｋｕ…灌水ユニット
【図１】
2017012025.tif 000003
【図２】
2017012025.tif 000004
【図３】
2017012025.tif 000005
【図４】
2017012025.tif 000006
【図５】
2017012025.tif 000007
【図６】
2017012025.tif 000008
【図７】
2017012025.tif 000009
【図８】
2017012025.tif 000010
【図９】
2017012025.tif 000011
【図１０】
2017012025.tif 000012
【図１１】
2017012025.tif 000013
【図１２】
2017012025.tif 000014
【図１３】
2017012025.tif 000015
【図１４】
2017012025.tif 000016
【図１５】
2017012025.tif 000017